【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
操作手段と、
複数の表示を表示可能な表示手段と、
を備えた遊技台であって、
前記操作手段の操作を受付可能な複数の状態のうちの一の状態は、第一の状態であり、
前記操作手段の操作を受付可能な複数の状態のうちの一の状態は、第二の状態であり、
前記第一の状態と前記第二の状態は、別の状態であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示の表示態様と前記第二の表示の表示態様は、別の表示態様であり、
前記第三の表示の表示態様と前記第四の表示の表示態様は、別の表示態様であり、
前記第一の状態において前記第三の表示を表示可能であり、
前記第二の状態において前記第四の表示を表示可能であり、
前記第一の表示は、或る予告表示であり、
前記第二の表示は、前記或る予告表示とは別の或る予告表示であり、
前記第三の表示は、遊技者に前記操作手段を連打することを促す表示であり、
前記第四の表示は、複数のボタン画像を含む表示であり、
前記第三の表示の表示が開始された後、前記操作手段が複数回操作されると、前記第一の表示の表示が開始される場合があり、
前記第三の表示の表示が開始された後、前記操作手段が長押しで１回操作されたことのみで、前記第一の表示の表示が開始される場合があり、
前記第四の表示の表示が開始された後、前記操作手段が複数回操作されると、前記第二の表示の表示が開始される場合があり、
前記第四の表示の表示が開始された後、前記操作手段が長押しで１回操作されたことのみでは、前記第二の表示の表示が開始されることはない、
ことを特徴とする遊技台。
【請求項２】
請求項１に記載の遊技台であって、
前記第一の状態は、前記第一の表示の表示を開始させるための操作を受け付ける状態である、
ことを特徴とする遊技台。
【請求項３】
請求項１または請求項２に記載の遊技台であって、
前記第二の状態は、前記第二の表示の表示を開始させるための操作を受け付ける状態である、
ことを特徴とする遊技台。
【請求項４】
請求項１乃至３のいずれか一項に記載の遊技台であって、
長押しとは、前記操作手段が操作されている状態が予め定められた時間にわたって維持されていることである、
ことを特徴とする遊技台。
【請求項５】
請求項１乃至４のいずれか一項に記載の遊技台であって、
前記第三の表示は、連打の文字を含む表示である、
ことを特徴とする遊技台。
【請求項６】
請求項１乃至５のいずれか一項に記載の遊技台であって、
前記複数の表示のうちの一の表示は、第五の表示であり、
前記複数の表示のうちの一の表示は、第六の表示であり、
前記第五の表示は、前記操作手段の外観を表す画像（以下、「第一の画像」という。）を含む表示であり、
前記第六の表示は、前記第一の画像とは別の、前記操作手段の外観を表す画像（以下、「第二の画像」という。）を含む表示であり、
前記第六の表示は、メーターの画像（以下、「第三の画像」という。）を含む表示であり、
前記第一の画像の表示サイズよりも前記第二の画像の表示サイズの方が大きい表示サイズであり、
前記第六の表示は、前記第二の画像の一部分が前記第三の画像によってオーバーラップされている表示であり、
前記第五の表示は、前記第一の画像がメーターの画像によってオーバーラップされない表示である、
ことを特徴とする遊技台。
【請求項７】
請求項６に記載の遊技台であって、
前記第五の表示は、前記操作手段の操作を促す表示を含む表示であり、
前記第六の表示は、前記操作手段の操作を促す表示を含む表示であり、
前記操作手段の操作を受け付ける状態において、前記第五の表示が表示される場合があり、
前記操作手段の操作を受け付ける状態において、前記第六の表示が表示される場合があり、
前記第五の表示と前記第六の表示は択一的に表示される、
ことを特徴とする遊技台。
【請求項８】
請求項１乃至７のいずれか一項に記載の遊技台であって、
演出手段を備え、
前記操作手段は、遊技者が操作可能な位置に設けられた手段であり、
前記演出手段は、複数種類の演出を実行可能な手段であり、
前記複数種類の演出のうちの一の演出は、第一の演出であり、
前記複数種類の演出のうちの一の演出は、第二の演出であり、
前記第一の演出と前記第二の演出は別の演出であり、
前記操作手段の操作が行われてから前記第一の演出が開始されるまでの時間よりも、前記操作手段の操作が行われてから前記第二の演出が開始されるまでの時間の方が長い、
ことを特徴とする遊技台。
【請求項９】
請求項８に記載の遊技台であって、
第一のボタン演出において前記操作手段が操作されたことで、前記第一の演出が開始され、
第二のボタン演出において前記操作手段が操作されたことで、前記第二の演出が開始され、
前記第一のボタン演出と前記第二のボタン演出は別のボタン演出である、
ことを特徴とする遊技台。
【請求項１０】
請求項１乃至９のいずれか一項に記載の遊技台であって、
前記遊技台は、ぱちんこ機である、
ことを特徴とする遊技台。
【請求項１１】
請求項１乃至９のいずれか一項に記載の遊技台であって、
前記遊技台は、スロットマシンである、
ことを特徴とする遊技台。
【手続補正２】
【補正対象書類名】明細書
【補正対象項目名】０００５
【補正方法】変更
【補正の内容】
【０００５】
本発明に係る遊技台は、操作手段と、複数の表示を表示可能な表示手段と、を備えた遊技台であって、前記操作手段の操作を受付可能な複数の状態のうちの一の状態は、第一の状態であり、前記操作手段の操作を受付可能な複数の状態のうちの一の状態は、第二の状態であり、前記第一の状態と前記第二の状態は、別の状態であり、前記複数の表示のうちの一の表示は、第一の表示であり、前記複数の表示のうちの一の表示は、第二の表示であり、前記複数の表示のうちの一の表示は、第三の表示であり、前記複数の表示のうちの一の表示は、第四の表示であり、前記第一の表示の表示態様と前記第二の表示の表示態様は、別の表示態様であり、前記第三の表示の表示態様と前記第四の表示の表示態様は、別の表示態様であり、前記第一の状態において前記第三の表示を表示可能であり、前記第二の状態において前記第四の表示を表示可能であり、前記第一の表示は、或る予告表示であり、前記第二の表示は、前記或る予告表示とは別の或る予告表示であり、前記第三の表示は、遊技者に前記操作手段を連打することを促す表示であり、前記第四の表示は、複数のボタン画像を含む表示であり、前記第三の表示の表示が開始された後、前記操作手段が複数回操作されると、前記第一の表示の表示が開始される場合があり、前記第三の表示の表示が開始された後、前記操作手段が長押しで１回操作されたことのみで、前記第一の表示の表示が開始される場合があり、前記第四の表示の表示が開始された後、前記操作手段が複数回操作されると、前記第二の表示の表示が開始される場合があり、前記第四の表示の表示が開始された後、前記操作手段が長押しで１回操作されたことのみでは、前記第二の表示の表示が開始されることはない、ことを特徴とする遊技台である。
【手続補正３】
【補正対象書類名】明細書
【補正対象項目名】３５６８
【補正方法】変更
【補正の内容】
【３５６８】
なお、図３３３（ｊ）のタイミングでチャンスボタン１３６の押下が検知されていない場合は、カットイン表示を表示しないようにしてもよく、表示するようにしてもよい。
本実施形態に係る遊技台は、操作手段（例えば、図３３２に示すチャンスボタン１３６）と、複数の表示を表示可能な表示手段（例えば、図２６０や図３３２に示す装飾図柄表示装置２０８）と、を備えた遊技台であって、前記操作手段の操作を受付可能な複数の状態のうちの一の状態は、第一の状態であり、前記操作手段の操作を受付可能な複数の状態のうちの一の状態は、第二の状態であり、前記第一の状態と前記第二の状態は、別の状態であり、前記複数の表示のうちの一の表示は、第一の表示（例えば、図３３２（ｇ）に示すカットイン演出）であり、前記複数の表示のうちの一の表示は、第二の表示（例えば、図２６０（ｊ）に示すカットイン表示）であり、前記複数の表示のうちの一の表示は、第三の表示（例えば、図３３５（ｅ）に示す、「連打」の文字列画像の表示）であり、前記複数の表示のうちの一の表示は、第四の表示（例えば、図２６０（ａ）に示す操作手段画像ＢＧ１〜３）であり、前記第一の表示の表示態様と前記第二の表示の表示態様は、別の表示態様であり、前記第三の表示の表示態様と前記第四の表示の表示態様は、別の表示態様であり、前記第一の状態において前記第三の表示を表示可能であり、前記第二の状態において前記第四の表示を表示可能であり、前記第一の表示は、或る予告表示であり、前記第二の表示は、前記或る予告表示とは別の或る予告表示であり、前記第三の表示は、遊技者に前記操作手段を連打することを促す表示であり、前記第四の表示は、複数のボタン画像を含む表示であり、前記第三の表示の表示が開始された後、前記操作手段が複数回操作されると、前記第一の表示の表示が開始される場合があり、前記第三の表示の表示が開始された後、前記操作手段が長押しで１回操作されたことのみで、前記第一の表示の表示が開始される場合があり、前記第四の表示の表示が開始された後、前記操作手段が複数回操作されると、前記第二の表示の表示が開始される場合があり、前記第四の表示の表示が開始された後、前記操作手段が長押しで１回操作されたことのみでは、前記第二の表示の表示が開始されることはない、ことを特徴とする遊技台である。
本実施形態に係る遊技台によれば、第一の状態となって遊技者に操作手段を連打することを促す第三の表示が表示された後、操作手段が複数回操作又は長押しで１回操作されると予告表示である第一の表示が表示される一方、第二の状態となって複数のボタン画像を含む第四の表示が表示された後、操作手段が複数回操作されると予告表示である第二の表示が表示されるが、操作手段が長押しで１回操作されたことのみでは、第二の表示は表示されないため、例えば、複数回操作しなくても長押しにより表示開始される表示を備えることで初級者でも楽しませることができ、他方で、複数回操作しないと開始されることがない表示も備えることで積極的に遊技に参加している上級者に対して優越感を持たせ、楽しませることができ、さらに、事前の設定操作を必要としないので、簡便な構成で実現することができる場合がある。
なお、前記第一の状態は、前記第一の表示の表示を開始させるための操作を受け付ける状態であってもよい。また、前記第二の状態は、前記第二の表示の表示を開始させるための操作を受け付ける状態であってもよい。また、長押しとは、前記操作手段が操作されている状態が予め定められた時間にわたって維持されていることであってもよい。また、前記第三の表示は、連打の文字を含む表示であってもよい。
また、前記複数の表示のうちの一の表示は、第五の表示（例えば、図２６４（ａ）に示す表示）であり、前記複数の表示のうちの一の表示は、第六の表示（例えば、図２６４（ｄ）に示す表示）であり、前記第五の表示は、前記操作手段の外観を表す画像（以下、「第一の画像」という。例えば、図２６４（ａ）に示す操作手段画像ＢＧｓ）を含む表示であり、前記第六の表示は、前記第一の画像とは別の、前記操作手段の外観を表す画像（以下、「第二の画像」という。例えば、図２６４（ｄ）に示す操作手段画像ＢＧｂ）を含む表示であり、前記第六の表示は、メーターの画像（以下、「第三の画像」という。例えば、図２６４（ｄ）に示す有効時間報知画像ＴＧｂ）を含む表示であり、前記第一の画像の表示サイズよりも前記第二の画像の表示サイズの方が大きい表示サイズであり、前記第六の表示は、前記第二の画像の一部分が前記第三の画像によってオーバーラップされている表示であり、前記第五の表示は、前記第一の画像がメーターの画像によってオーバーラップされない表示であってもよい。また、前記第五の表示は、前記操作手段の操作を促す表示を含む表示であり、前記第六の表示は、前記操作手段の操作を促す表示を含む表示であり、前記操作手段の操作を受け付ける状態において、前記第五の表示が表示される場合があり、前記操作手段の操作を受け付ける状態において、前記第六の表示が表示される場合があり、前記第五の表示と前記第六の表示は択一的に表示されるものでもよい。
また、演出手段を備え、前記操作手段は、遊技者が操作可能な位置に設けられた手段であり、前記演出手段は、複数種類の演出を実行可能な手段であり、前記複数種類の演出のうちの一の演出は、第一の演出（例えば、ボタン連打操作演出における演出表示や、操作音出力）であり、前記複数種類の演出のうちの一の演出は、第二の演出（例えば、通常のボタン操作演出における演出表示や、演出音（効果音）出力）であり、前記第一の演出と前記第二の演出は別の演出であり、前記操作手段の操作が行われてから前記第一の演出が開始されるまでの時間よりも、前記操作手段の操作が行われてから前記第二の演出が開始されるまでの時間の方が長くてもよい。また、第一のボタン演出において前記操作手段が操作されたことで、前記第一の演出が開始され、第二のボタン演出において前記操作手段が操作されたことで、前記第二の演出が開始され、前記第一のボタン演出と前記第二のボタン演出は別のボタン演出であってもよい。